(57)【要約】【課題】レンズ交換可能な第一のカメラに対して、第一のカメラより撮影画角が広いレンズ一体型の第二のカメラを、第一のカメラの交換レンズが写りこまず、且つ二つの光学系の光軸方向が平行になるように装着させる。【解決手段】レンズ交換可能な第一のカメラと第一のカメラに装着可能な交換レンズと、前記第一のカメラと交換レンズによる撮影画角より広い撮影画角が得られる光学系を持つ第二のカメラを装着することを可能とし、前記交換レンズの光軸と中心軸が一致するように交換レンズ先端に係合可能な係合部と前記係合部の中心軸と第二のカメラの光学系の中心軸が平行に備えられるカメラ装着アクセサリを提案する。【選択図】  図１
2018040998.tif 000002
【特許請求の範囲】
【請求項１】
第一のカメラと
第一のカメラに備えられているレンズ鏡筒と
前記第一のカメラと前記レンズ鏡筒による撮影画角より広い撮影画角が得られる光学系を持つ第二のカメラを装着することを可能とし
前記レンズ鏡筒の光軸と中心軸が一致するようにレンズ鏡筒の先端に係合可能な係合部と
前記係合部の中心軸と第二のカメラの光学系の中心軸が平行に備えられる装着部を有する
カメラ装着アクセサリ。
【請求項２】
前記係合部はバヨネット形状で構成される
請求項１に記載のカメラ装着アクセサリ。
【請求項３】
前記係合部が螺合形状で構成される
請求項１に記載のカメラ装着アクセサリ。
【請求項４】
前記第二のカメラが着脱可能であり、
第二のカメラの光軸を中心とした回転を規制する回転規制形状が設けられている
請求項１に記載のカメラ装着アクセサリ。
【請求項５】
前記第二のカメラが挿脱可能であり、
第二のカメラの光軸方向位置を規制する規制形状が設けられている
請求項１に記載のカメラ装着アクセサリ。
【請求項６】
前記第二のカメラが挿脱可能であり、
第二のカメラを平面受けさせるための平面部と
第二のカメラを固定するためのネジ部材が備えられている
請求項１に記載のカメラ装着アクセサリ。
【発明の詳細な説明】
【技術分野】
【０００１】
本発明は、第一のカメラのレンズ鏡筒に第二のカメラを装着する際の取り付け手段について提案する。
【背景技術】
【０００２】
近年、主光学系と広角側に特化した副光学系を一つのカメラ内に備えるデジタルカメラやデジタルビデオカメラが開発されている。前記のデジタルカメラやデジタルビデオカメラは、動画撮影の際に主光学系を用いた被写体の拡大撮影と、副光学系を用いて前記被写体の周辺を広範囲に撮影することができる。また、特許文献１のように、副光学系の画像を用いて主光学系の被写体導入をアシストすることもできる。
【０００３】
また、近年小型であり広角撮影に特化したアクションカメラが開発されており、高画質な撮影が可能なレンズ交換式カメラと同時に使用することで、前述した主光学系と副光学系一体型のカメラに比べて高画質な撮影が可能である。さらにレンズ交換が可能なことで撮影領域を拡大させることができる。
【先行技術文献】
【特許文献】
【０００４】
【特許文献１】特開２０１２−２３９１３５号公報
【発明の概要】
【発明が解決しようとする課題】
【０００５】
しかしながら、レンズ交換式カメラに小型で広角撮影に特化した第二のカメラを装着する際には、交換レンズの全長が長いと第二のカメラは広角であるために画角内に交換レンズが写りこみ、第二のカメラの撮影画像がケラレてしまう問題が発生する。
【０００６】
そして、レンズ交換式カメラの光軸方向と第二のカメラの光軸方向が一致していない場合、撮影者が一人だと撮影対象を前記２台のカメラで同時に導入することが困難である。また、被写体導入アシストとして用いることはできない。
【０００７】
二つのカメラの位置を調整する手段として特開２０１２−２３９１３５のように、接続部の構成に２自由度を持たせて調整する手段が提案されているが、二つのカメラの光軸を手動で調整して合わせる必要がある。
【課題を解決するための手段】
【０００８】
前述の課題を解決する手段として、第一のカメラと第一のカメラに備えられているレンズ鏡筒と、前記第一のカメラの撮影画角より広い撮影画角が得られる光学系を持つ第二のカメラを装着することが可能であり、前記交換レンズの光軸と中心軸が一致するように交換レンズ先端に係合可能な係合部と、前記係合部の中心軸と第二のカメラの光学系の中心軸が平行になるように備えられていることを特徴とする、カメラ装着アクセサリを提案する。
【発明の効果】
【０００９】
本発明によれば、第二のカメラへのレンズ交換式カメラの交換レンズに写りこみによるケラレが発生することなく、第二のカメラと第一のカメラの光軸方向平行に装着することができる。
【図面の簡単な説明】
【００１０】
【図１】本発明の実施例１の全体図
【図２】本発明の実施例１の部分断面図
【図３】本発明の実施例２の全体図
【図４】本発明の実施例２の部分断面図
【図５】第二のカメラ装着の一例を示す背面斜視図
【図６】第二のカメラ装着の一例を示す背面斜視図
【発明を実施するための形態】
【００１１】
以下、本発明の実施例１について図面を参照しながら説明する。図１には、本発明の実施例である第一のカメラ1と、第一のカメラ1に装着されている交換レンズ２と、交換レンズ２に装着されているフード部材３と、第二のカメラ４を示している。
【００１２】
第一のカメラ１に装着されている交換レンズ２には、図２に示すように交換レンズ２の最も物体側に配置されるレンズ群２１とそれを保持する前レンズ枠２２がある。前記前レンズ枠２２には、画角内光線を遮らずに不要光線を交換レンズ２の内部に侵入させないためのフード部材３を着脱するためのバヨネット部２０１と係合部２０２が設けられており、前記係合部２０２の中心は、交換レンズ２の光軸と一致するように設けられている。
【００１３】
次に図２を用いて前記フード部材３と第二のカメラ４について説明する。第二のカメラ４は、第一のカメラ１に交換レンズ２を装着した際に得られる撮影画角よりも、広い画角を撮影可能な光学系によって構成されている。
【００１４】
フード部材３には、前記交換レンズ２に装着するための係合爪部３０２が備えられている。係合爪部３０２は前記嵌合部２０２の円周上で係合するように配置されており、且つ前記バヨネット部２０１によって、係合爪部３０２が交換レンズ２の光軸と中心軸が一致するように係合することが可能である。第二のカメラ４の光学系の光軸は、前記係合爪部３０２の中心軸と軸方向が平行になるように備えられている。そのため第二のカメラ４の光学系の光軸と前記交換レンズ２の光軸が平行になるように装着することができる。
【００１５】
第二のカメラ４は、前記フード部材３によって交換レンズ２の前方に取り付けられるため、撮影画角内の光線にケラレが発生しない位置に固定可能である。フード部材３と交換レンズ２と第二のカメラ４の画角内光線の簡略モデルを図２に示している。
【００１６】
本実施例によれば、第一のカメラ１に装着された交換レンズ２によって光線がケラレることなく、且つ交換レンズ２と光軸が平行になるように第二のカメラ４を装着することが可能となる。
【００１７】
本実施例では第二のカメラ４がフード部材３に一体的に備えられているが、図５のようにフード部材３側に回転止め３０４、挿入位置決め面３０５、第二のカメラ嵌合部３０６を設けることで、第二のカメラ４を着脱可能にした際にも、交換レンズ２と第二のカメラ４の光軸を平行にすることができる。
【００１８】
さらには、図６のように光軸に平行な取り付け平面３０７と、位置決めピン３０８、取り付けねじ部３０９を設けることでも、第二のカメラ４を着脱可能にし、交換レンズ２と第二のカメラ４の光軸を平行にすることができる。
【００１９】
以下、本発明の実施例に２ついて図面を参照しながら説明する。図３には、本発明の実施例である第一のカメラ1と、第一のカメラ1に装着されている交換レンズ２と、交換レンズ２に装着されている第二のカメラ保持部材５と、第二のカメラ４を示している。
【００２０】
図３に示す第一のカメラ１に装着されている交換レンズ２には、交換レンズ２の最も対物側に配置されるレンズ群２１を保持する前レンズ枠２２がある。
図４に示すように前記レンズ枠２２には、レンズ群２１を保護するための保護フィルターを装着するための雌ねじ部２０３が設けられており、雌ねじ部２０３の中心軸は前記レンズ群２１の中心軸と一致している。
【００２１】
次に図４を用いて前記第二のカメラ保持部材５と第二のカメラ４について説明する。第二のカメラ４は、第一のカメラ１に交換レンズ２を装着した際に得られる撮影画角よりも、広い画角を撮影可能な光学系によって構成されている。
【００２２】
第二のカメラ保持部材５には、前記交換レンズ２の雌ねじ部２０３に装着するための雄ねじ部５０３が備えられている。前記交換レンズ２の雌ねじ部２０３に雄ねじ部５０３を係合させることによって、雄ねじ部５０３の中心軸と交換レンズ２の光軸と中心軸が一致するように係合することが可能である。第二のカメラ４の光学系の光軸は、前記雄ねじ部５０３の中心軸と軸方向が平行になるように備えられている。そのため第二のカメラ４の光学系の光軸と前記交換レンズ２の光軸が平行になるように装着することができる。
【００２３】
第二のカメラ４は、第二のカメラ保持部材５によって交換レンズ２の前方に取り付けられるため、撮影画角内の光線にケラレが発生しない位置に固定可能である。第二のカメラ保持部材５と交換レンズ２と第二のカメラ４の画角内光線の簡略モデルを図４に示す。
【００２４】
本実施例によれば、第一のカメラ１に装着された交換レンズ２によって光線がケラレることなく、且つ交換レンズ２と光軸が平行になるように第二のカメラ４を装着することが可能となる。
【００２５】
以上で説明した各実施例は、交換レンズを用いて説明しているが、レンズ鏡筒とカメラが一体型のものでも良い。また、以上で説明した各実施例は、光線がケラレることなく、且つ交換レンズ２と光軸が平行になるように第二のカメラ４を装着する手段を提案しているが、その用途はさまざまであり、狙った被写体を異なる画角の動画の同時撮影、異なる画角の静止画の同時撮影、動画と静止画の同時撮影が可能である。さらには望遠レンズでは導入が困難な被写体に対して被写体を導入する際に第二のカメラを第一のカメラで撮影する際のアシストとして用いることができ、スポーツや鳥、子供など予想しにくい動きをする被写体に対して有効となる。
【００２６】
本発明は、交換レンズに装着可能なアクセサリに関するものである。
【符号の説明】
【００２７】
１.第一のカメラ 
２.交換レンズ 
３.フード部材 
４.第二のカメラ 
５．カメラ保持部材 
２１.レンズ群 
２２．前レンズ枠 
２０１．バヨネット部 
２０２．係合部 
２０３．雌ねじ部 
３０２．係合爪部 
３０４．回転止め 
３０５．挿入位置決め面３０５ 
３０６．第二のカメラ嵌合部 
３０７．取り付け平面 
３０８．位置決めピン 
３０９．取り付けねじ部 
５０３．雄ねじ部
【図１】
2018040998.tif 000003
【図２】
2018040998.tif 000004
【図３】
2018040998.tif 000005
【図４】
2018040998.tif 000006
【図５】
2018040998.tif 000007
【図６】
2018040998.tif 000008